【事件の表示】
　特願２００６−　６８３８２「通信システム、通信方法、携帯端末装置および充電装置」拒絶査定不服審判事件〔平成１９年　９月２７日出願公開、特開２００７−２４９３０５〕について、次のとおり審決する。
【結　論】
　本件審判の請求は、成り立たない。
【理　由】
第１　手続の経緯
　本願は、平成１８年３月１３日を出願日とするものであって、平成２４年５月１４日付けで拒絶査定がなされ、それに対して同年８月２０日に拒絶査定不服の審判請求がなされるとともに手続補正書が提出されたものである。
　　
第２　平成２４年８月２０日付けの手続補正の補正却下の決定
［補正却下の決定の結論］
　平成２４年８月２０日付けの手続補正（以下、「本件補正」という。）を却下する。
　　
［理由］
（１）補正後の本願発明
　本件補正により、少なくとも特許請求の範囲の請求項５は次のように補正された。
「自装置の識別番号および所定の情報を記憶する記憶部と、
読み出し・書き込み指示の送信要求を受け付ける操作部と、
放射された電磁波を受信し、受信した電磁波を電気に変換して各部に供給するアンテナと、
前記アンテナから電気が供給されることによって充電されるバッテリと、
前記送信要求を受け付けた場合、所定周波数の電波を送信すると共に、前記記憶部に記憶されている識別番号および所定の情報の読み出し・書き込み指示を送信するＲＦＩＤ部と、
を備える携帯端末装置。」
　　
（２）補正の可否の検討
　本件補正後の請求項５に対応する本件補正前の請求項は、請求項６を引用する請求項８であって、
補正前の請求項６は、「自装置の識別番号および所定の情報を記憶する記憶部と、
放射された電磁波を受信し、受信した電磁波を電気に変換して各部に供給するアンテナと、
前記アンテナから電気が供給されることによって充電されるバッテリと、
前記アンテナから電気が供給された時に、前記記憶部に記憶されている識別番号を電磁波により送信し、前記所定の情報の読み出し・書き込み指示を電磁波により送信するＲＦＩＤと、
を備える携帯端末装置。」であり、補正前の請求項８は、「前記読み出し・書き込み指示の送信要求を受け付ける操作部をさらに備える、請求項６または７記載の携帯端末装置。」である。
　そうすると、上記補正は、補正前の請求項８の構成要件である「前記アンテナから電気が供給された時に、前記記憶部に記憶されている識別番号を電磁波により送信し、前記所定の情報の読み出し・書き込み指示を電磁波により送信するＲＦＩＤ」を、「前記送信要求を受け付けた場合、所定周波数の電波を送信すると共に、前記記憶部に記憶されている識別番号および所定の情報の読み出し・書き込み指示を送信するＲＦＩＤ部」とする補正を含むものである。
　このような、補正を含む本件補正は、特許法第１７条の２第４項第２号に規定する特許請求の範囲の減縮には該当しない。
　そして、原査定の拒絶の理由には、記載不備に関するものはないから、特許法第１７条の２第４項第４号に規定する不明りょうな記載の釈明にも該当しない。
　また、この補正は、同条同項１号、３号のいずれに規定する補正目的にも該当しない。
　　
（３）むすび
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
第３　本願発明
　本件補正は、上記のとおり却下されたので、本願の請求項６に係る発明（以下、「本願発明」という。）は、平成２４年３月１６日付けの手続補正書により補正された特許請求の範囲の請求項６に記載された事項により特定される、以下のものである。
「自装置の識別番号および所定の情報を記憶する記憶部と、
放射された電磁波を受信し、受信した電磁波を電気に変換して各部に供給するアンテナと、
前記アンテナから電気が供給されることによって充電されるバッテリと、
前記アンテナから電気が供給された時に、前記記憶部に記憶されている識別番号を電磁波により送信し、前記所定の情報の読み出し・書き込み指示を電磁波により送信するＲＦＩＤと、
を備える携帯端末装置。」
　
第４　引用文献
　原査定の拒絶の理由に引用された“菊池　隆裕　外１名，見渡せばＦｅｌｉＣａ，日経エレクトロニクス，日本，日経ＢＰ社，２００４年７月１９日，第８７８号，ｐ．１０１−１１９”（以下、「引用文献」という。）には、図面と共に次の事項が記載されている。
（ア）「この状況を見てＮＴＴドコモが携帯電話機へのFeliCa採用を決めた。「ｉモードFeliCaサービス」の登場で、対応店舗やサービスはさらに広がる。今後、携帯電話機にリーダー／ライターが載れば手持ちのカードの情報を読んだり、２台の携帯電話機をかざして電子チケットを授受したりできるようになる。」（１０４頁　右下「図１　FeliCaは好循環に」の欄）
　　　
（イ）「「FeliCa」には、電子マネーやポイント・カードなどの情報が安全な状態で保存されるため、FeliCa機能を搭載した携帯電話機は、サイフの代わりに使うことができる。」（１０６頁　左下「図３　FeliCaケータイに寄せる思いは各社各様」の欄）
　　
（ウ）「数年後には、携帯電話機向けFeliCaチップにリーダー／ライター機能を搭載する予定だ。・・・中略・・・携帯電話機がリーダー／ライターになれば、外部のＩＣカードの情報を読み取って利用することが可能になる。街頭のポスターや、店頭に並ぶ商品の情報を携帯電話機に表示する「電子広告」、博物館や美術館などにおける自動ガイダンスのような用途を実現しやすくなる注１２）。」（１１０頁　「リーダー／ライターでまた「化ける」」の欄）
　　　
（エ）「リーダー／ライター機能を使うことで、携帯電話機同士をかざして電子マネーや電子チケットを授受したり、外部から携帯電話機をコントロールしたりする可能性もある。」（１１０頁　左下「注１２）」の欄）
　　　
（オ）「「端末を落としても誰にも使われないようにしたい」「かざす面を意識しないで使いたい」「携帯電話機に入っているクーポンやチケットを友達とやりとりしたい」−。「FeliCa」対応携帯電話機の普及が進むにつれ、こうした要求をユーザが突き付けるのは必至だ。
「FeliCaケータイ」には、既存の非接触ＩＣカードと比べてより多くのアプリケーション・ソフトウエアが載る可能性が高い。電子マネーに定期券、家のカギなどが１ヵ所に収まることになる。落としたときの被害は既存のＩＣカードの比ではない。セキュリティ機能の向上は必須項目になりそうだ。
使い勝手の向上も求められる。非接触ＩＣカードと比べて筐体が厚い携帯電話機では、リーダー／ライターにかざす面を選ばないと通信ができない恐れがある。どの面を向けても通信可能にするためには、アンテナなどの実装に工夫が必要だ。」（１１２頁　左〜右欄）
　　　
（カ）「携帯電話機向けFeliCaチップ「モバイルFeliCaＩＣ」の場合、携帯電話機に搭載する電池パックから電流を供給する。ただし待ち受け時の電流は微弱であるため、通信を開始する際はリーダー／ライターからの磁界をアンテナで受けて起電力を発生させる。発生した電圧をモバイルFeliCaＩＣに入力することで通信が始まったと認識し、電池パックから通信に必要な電流を供給する。」（１１４頁　左下「注４）」の欄）
　　　　
　これら記載事項から、引用文献には、次の発明（以下、「引用発明」という。）が記載されていると認められる。
「携帯電話機向けFeliCaチップ「モバイルFeliCaＩＣ」を搭載した携帯電話機であって、
　携帯電話機をリーダー／ライターにかざすと、リーダー／ライターからの磁界をアンテナで受けて起電力を発生させ、発生した電圧をモバイルFeliCaＩＣに入力することで通信が始まったと認識し、電池パックから通信に必要な電流をモバイルFeliCaＩＣに供給して通信を開始し、リーダー／ライターと通信ができ、
　電子マネーやポイント・カードなどの情報が安全な状態で保存されるため、FeliCa機能を搭載した携帯電話機は、サイフの代わりに使うことができ、
　さらに、携帯電話機向けFeliCaチップにリーダー／ライター機能を搭載すれば、携帯電話機がリーダー／ライターになり、リーダー／ライター機能を使うことで、携帯電話機同士をかざして電子マネーや電子チケットを授受することができる携帯電話機。」
　　　　
第５　対比
　本願発明と引用発明とを対比する。
（ア）引用発明の「携帯電話機」は、本願発明の「携帯端末装置」に相当する。
　　
（イ）引用発明は、「電子マネーやポイント・カードなどの情報が安全な状態で保存されている」から、「電子マネーやポイント・カードなどの情報」を記憶する記憶部を備えることは明らかであり、当該記憶部は、本願発明の「自装置の識別番号および所定の情報を記憶する記憶部」と「所定の情報を記憶する記憶部」である点で共通するといえる。
　　
（ウ）引用発明は、「リーダー／ライターからの磁界をアンテナで受けて起電力を発生させ、発生した電圧をモバイルFeliCaＩＣに入力」するから、当該「アンテナ」は、本願発明の「放射された電磁波を受信し、受信した電磁波を電気に変換して各部に供給するアンテナ」に相当するといえる。
　
（エ）引用発明の「電池パック」は、本願発明の「前記アンテナから電気が供給されることによって充電されるバッテリ」と「バッテリ」である点で共通するといえる。　
　　
（オ）引用発明は、「携帯電話機をリーダー／ライターにかざすと、リーダー／ライターからの磁界をアンテナで受けて起電力を発生させ、発生した電圧をモバイルFeliCaＩＣに入力することで通信が始まったと認識し、電池パックから通信に必要な電流をモバイルFeliCaＩＣに供給して通信を開始し、リーダー／ライターと通信」するから、引用発明の「モバイルFeliCaＩＣ」は、本願発明の「前記アンテナから電気が供給された時に、前記記憶部に記憶されている識別番号を電磁波により送信し、前記所定の情報の読み出し・書き込み指示を電磁波により送信するＲＦＩＤ」と「前記アンテナから電気が供給された時に、情報を電磁波により送信する送信部」である点で共通するといえる。
　　
　そうすると、本願発明の用語を用いると両者は次の点で一致する。
「所定の情報を記憶する記憶部と、
放射された電磁波を受信し、受信した電磁波を電気に変換して各部に供給するアンテナと、
バッテリと、
前記アンテナから電気が供給された時に、情報を電磁波により送信する送信部と、
を備える携帯端末装置。」
　　
　そして、両者は次の（１）〜（３）の点で相違する。
（１）本願発明は、記憶部に「自装置の識別番号および所定の情報」を記憶するのに対し、引用発明は、自装置の識別番号を記憶することについて明らかではない点。
　　　
（２）本願発明は、「ＲＦＩＤ」が、「前記記憶部に記憶されている識別番号を電磁波により送信し、前記所定の情報の読み出し・書き込み指示を電磁波により送信する」のに対し、引用発明の「モバイルFeliCaＩＣ」は、リーダー／ライターと通信するが、どのような情報を送信するか明らかではなく、「ＲＦＩＤ」といえるかも明らかではない点。　
　　
（３）本願発明は、「バッテリ」が、「放射された電磁波を受信し、受信した電磁波を電気に変換して各部に供給するアンテナ」である「前記アンテナから電気が供給されることによって充電されるバッテリ」であるのに対し、引用発明の「電池パック」は、そのようなバッテリであることは記載されていない点。
　　
第６　当審の判断
・相違点（１）、（２）について
　ＲＦＩＤとは、Radio Frequency IDentificationの略で、電波（電磁波）を用いて、ＲＦタグ等のデータを非接触で読み書きするもの、および技術全般を指すものであり、非接触ＩＣカードもＲＦＩＤに含まれるものであって、引用発明のような携帯電話機向けFeliCaチップ「モバイルFeliCaＩＣ」が、照合用データ（「自装置の識別番号」に相当する。）を記憶し、通信を開始する際、照合処理のために、照合用データを送受信するＲＦＩＤといえることは、本出願の出願日前に周知（例えば、特開２００４−３４８６３６号公報、段落【０００２】「所定のリーダライタ装置との間で照合用データを送受信して所定の照合処理を行う照合処理装置は、例えば、ＩＣカード形式で、電気錠の開錠、勤怠（出勤・退勤）の入力、通勤・通学定期券、カード決済（電子マネー）に使用されている。」、段落【０００７】「電子マネー等への応用が期待されている非接触型ＩＣカード（実用されているものとしてフェリカカード、スイカカード等がある）は電磁誘導原理を応用して、情報の受け渡し、電力供給をおこなっているため、電磁誘導を乱すような外乱（カードリーダライタ以外からの磁界）を受けた場合、情報の受け渡し、電力供給が不充分となり、カードリーダライタと非接触型ＩＣカード間での送受信に乱れが生じる場合があった。なお、電磁誘導を乱すような外乱としては、非接触型ＩＣカードを携帯機器に搭載した場合等に、携帯機器に搭載されているスピーカ、バイブレータ等から出る磁界等が考えられる。」、段落【００２０】「非接触型ＩＣカードを携帯電話機に搭載するとは、非接触型ＩＣカードそのもの（ＩＣカードそのもの）を携帯電話機に実装する場合と、非接触型ＩＣカードそのものでなくカード基盤・・・中略・・・を例えば一体成形により携帯電話機のケースに実装する場合の両者をいう。」、段落【００２１】「非接触型ＩＣカード５０はこれら磁束の影響を打ち消すことができ、携帯電話機１００に搭載した場合でもカードリーダライタとの間で円滑に照合処理を行うことができる。」の記載、特開２００４−２５２８０４号公報、段落【０００７】、【０００８】「電子マネー等への応用が期待されている非接触型ＩＤ識別システム（実用されているものとしてフェリカカード、スイカカード等がある）は電磁誘導原理を応用して、情報の受け渡し、電力供給をおこなっているため、例えば非接触型ＩＤ識別システムの一つであるフェリカカード、スイカカード等では電力に制限があり情報処理量に制約があった。【０００８】そこで、本発明は、非接触型ＩＤ識別システムを効率的に携帯端末装置に搭載する」、段落【００１９】「非接触型ＩＤ識別システム５００を電池パック内に配置するが、電池セル１６との接続は行わず、非接触型ＩＤ識別システム５００を外部装置（カードリーダライタ等）に所定距離以内で近接させた場合に内蔵の電磁誘導コイルにおいて発生する電磁誘導により電力を発生させ、これにより外部装置との間で照合用のデータを送受信させるようにしてもよい。」の記載参照。）である。
　そして、引用発明は、「携帯電話機向けFeliCaチップにリーダー／ライター機能を搭載すれば、携帯電話機がリーダー／ライターになり、リーダー／ライター機能を使うことで、携帯電話機同士をかざして電子マネーや電子チケットを授受することができる」ものであるから、携帯電話機同士で電子マネーや電子チケットの情報を読み出し・書き込み指示を電磁波により送信するようにすることは、当業者であれば容易に想到し得る設計事項にすぎない。
　したがって、引用発明において、記憶部に「自装置の識別番号および所定の情報」を記憶し、「ＲＦＩＤ」が、「前記記憶部に記憶されている識別番号を電磁波により送信し、前記所定の情報の読み出し・書き込み指示を電磁波により送信する」ようにすることは、当業者が容易になし得ることである。
　
・相違点（３）について
　通信装置において、放射された電磁波を受信し、受信した電磁波を電気に変換して供給するアンテナコイルを備え、当該アンテナコイルから変換された電気が通信回路部に供給され、また、当該アンテナコイルから変換された電気が供給されることによって電池を充電するようにすることは、本出願の出願日前に周知（例えば、特開２００１−３０７０３２号公報、段落【００２２】〜【００２５】「ＲＦＩＤ５より発信された電波を携帯端末７に内蔵しているアンテナ１により電波から電気信号に変換され、変換された電気信号はＲＦＩＤリーダライタ２で電子情報として使える形式に変換しメモリ８に蓄えられる。・・・中略・・・充電用電源供給装置６から放射された電磁界をアンテナ１で電気に変換し、携帯端末７に電気を取り入れる。アンテナ１から供給されてきた電気を充電回路３の制御により電池４に供給され、電池４は繰り返し使用が可能となる。」の記載、特開平１１−３４５２９２号公報、段落【００２０】〜【００２３】「質問器からの信号は、コイル等で構成される送受信手段１で受信され、・・・中略・・・電源手段５から入力される電圧値が電池８の電圧値より高くなった場合、電源手段５から主要回路部１４に電力が供給される。・・・中略・・・非接触ＩＣカードを質問器に近づけて強い電波を受けることにより、電源手段５から供給される電力を利用して、非接触ＩＣカードの利用を継続することができる。【００２３】また、送受信手段１の出力をダイオードブリッジ回路２で整流し、充電手段４により電池８に電力を供給し、充電している。送受信手段１の出力が十分に大きい際には、非接触ＩＣカードの動作をさせながら電池８を充電することも可能である。」の記載、特開２０００−９０２２１号公報、段落【００１６】〜【００１８】「非接触型ＩＣカード１を、非接触型ＩＣカード対応のＩＣカードリーダあるいはＩＣカードリーダ・ライタ２（図１参照）に近づけると、非接触型ＩＣカード１のアンテナコイル１０２は、非接触型ＩＣカード対応リーダ（リーダ・ライタ）から発信される電磁波を受信する。・・・中略・・・【００１８】このようにして、アンテナコイル１０２からの電力または、二次電池１０４からの電力を得て、ＩＣモジュール１０５を起動し、アンテナコイル１０２との通信、信号の処理を行う（ステップ１０６）。データの伝送処理が終了した時点では、・・・中略・・・コンデンサ２０４ｆに蓄電されている余剰電力を二次電池１０４に充電する（ステップ１０７、ステップ１０８）。」の記載参照。）
　したがって、引用発明において、上記周知技術を採用することにより、モバイルFeliCaＩＣに変換された電圧を供給するアンテナから電気が供給されることによって電池パックを充電するようにすることは、当業者が容易になし得ることである。
　　
　そして、本願発明による効果も、引用発明及び周知技術から当業者が予測し得る範囲のものである。　
　
第７　むすび
　以上のとおり、本願発明は、引用発明及び周知技術に基づいて、当業者が容易に発明することができたものであるから、特許法第２９条第２項の規定により特許を受けることができない。
　したがって、本願は、他の請求項について検討するまでもなく、拒絶すべきものである。
よって、結論のとおり審決する。